(57)【特許請求の範囲】
【請求項１】
上部に、平面形状が円形の篩枠内に該篩枠内の中央部に投入された原料粉粒体を粗大粒とそれ以外の粉粒体とに選別可能な振動多孔板が設けられているとともに、前記篩枠に前記多孔板上で選別された粗大粒を排出する粗大粒排出口が設けられた上部選別室を有する円筒型篩装置において、前記上部選別室内に、一方の端部が前記篩枠の前記粗大粒排出口の篩枠周方向一端側の位置に接続され、円形の篩枠の半径よりも長く直線状に延びる整流板を設け、該整流板を、円形の篩枠の中心を通る方向に対し前記粗大粒排出口を含む領域側に傾いて延びるように配置するとともに、前記上部選別室内の前記整流板の他方の端部の延長線上に、前記整流板により区画された前記上部選別室内の円形の篩枠の中心を含む領域から前記粗大粒排出口を含む領域へと前記多孔板上の粉粒体が移動可能な粉粒体流路口を設け、該粉粒体流路口の幅を、円形の篩枠の直径の３％以上に設定し、前記整流板の前記粉粒体流路口の一端側部分に、整流板の長さを調整可能な整流板長さ調整機構を設けたことを特徴とする円筒型篩装置。
【請求項２】
前記粗大粒排出口が、前記篩枠の周方向に１箇所だけ設けられている、請求項１に記載の円筒型篩装置。
【請求項３】
前記整流板の、前記篩枠への接続位置から前記粉粒体流路口の一端までの長さが、円形の篩枠の直径の７０％以上に設定されている、請求項１または２に記載の円筒型篩装置。
【請求項４】
前記整流板が、前記篩枠への接続位置と円形の篩枠の中心とを通る篩枠の直径方向に対し、５〜２８度の角度範囲内に配置されている、請求項１〜３のいずれかに記載の円筒型篩装置。
【請求項５】
前記篩枠内の中央部に、前記多孔板とは異なる孔の無い平板部が設けられている、請求項１〜４のいずれかに記載の円筒型篩装置。
【請求項６】
前記整流板長さ調整機構が前記粉粒体流路口の幅調整機構を兼ねている、請求項１〜５のいずれかに記載の円筒型篩装置。
【請求項７】
前記上部選別室の下部に、該上部選別室内で選別された粗大粒が除去された後の粉粒体を取り出し可能な粉粒体取得室、または、前記上部選別室内で選別された粗大粒が除去された後の粉粒体をさらに振動多孔板により目標範囲内のサイズの正常粒とそれ未満のサイズの紛体とに選別可能な中部選別室を有する、請求項１〜６のいずれかに記載の円筒型篩装置。
【請求項８】
請求項１〜７のいずれかに記載の円筒型篩装置を用いて粉粒体を選別する粉粒体の選別方法。
【請求項９】
前記粉粒体が所定長に切断された樹脂ペレットである、請求項８に記載の粉粒体の選別方法。
【発明の詳細な説明】
【技術分野】
【０００１】
本発明は、円筒型篩装置およびそれを用いた粉粒体の選別方法に関し、とくに、選別された粗大粒とともに排出される正常粒の量を低減し、正常粒の採取収率を高めるようにした円筒型篩装置およびそれを用いた粉粒体の選別方法に関する。
【背景技術】
【０００２】
粉粒体としての樹脂ペレットは、例えば、熱可塑性樹脂に強化剤や着色剤などをコンパウンドし付加価値を新たに加えた樹脂のペレットは、口金の吐出口から押出、成形された長尺の樹脂を、長さ方向に対して垂直方向に切断することで製造される。切断された粒状の樹脂は総称して「樹脂ペレット」と呼ばれ、各種分野において、例えば、自動車や電気部品の分野において、成形加工原料として使用される。【０００３】
このような樹脂ペレットの切断面の形状は吐出口の形状によって決まるため安定しているが、長さ方向の形状（サイズ）については、材料の特性や切断条件によって形状不良ペレットが生じてしまうことがある。【０００４】
形状不良ペレットは成形機内部への不安定なフィードを誘発し成形工程上大きな影響を与えるため、ペレット形状のばらつきをある程度の範囲内に抑える必要がある。ばらつきを抑え、サイズがある程度の範囲内に納められたペレットを得るためには、サイズに関して、とくにペレットの長さに関して、正常粒とそれ以外とに選別することが有効である。【０００５】
発生した形状不良ペレットを選別する方法としては、振動篩装置によって投入ペレットを長さに応じて篩分けする方法が挙げられる。振動篩装置としては、例えば、投入材料を篩分けする所定の目開きのパンチングメタル(多孔板)と、該パンチングメタルを加振する加振手段を有し、篩分け対象となる材料をパンチングメタル上に投入する振動篩装置が知られている(例えば、特許文献１〜７)。【０００６】
この種の振動篩装置としては、例えば図１に示すような円筒型篩装置が知られている（図１に示す円筒型篩装置は、従来技術の説明と本発明の説明とに共通して用いる）。図１に示す円筒型篩装置１においては、粉粒体投入口２から投入された原料粉粒体３を、篩枠４内に加振手段５により加振される所定の目開きのパンチングメタル(多孔板)６が設けられた上部選別室７内で粗大粒をそれ以外の粉粒体（目標とする正常サイズの正常粒と紛体とを含む粉粒体）とに選別し、選別された粗大粒を粗大粒排出口８から排出するようになっている。主として粗大粒が除去された後の粉粒体９は、下方の中部選別室１０に落下され、上記パンチングメタル(多孔板)６よりも小さい目開きの加振パンチングメタル(多孔板)１１上で、正常粒と紛体とに選別され、正常粒は正常粒排出口１２から排出され、紛体１３は下部室１４に落下され、紛体排出口１５から排出されるようになっている。【０００７】
このような従来の円筒型篩装置においては、例えば図４に示すように、上部選別室７内において、投入された原料粉粒体を極力万遍なくパンチングメタル６上に分布させ、パンチングメタル６による選別処理に供することができるように、パンチングメタル６上での原料粉粒体の流動を制御する整流板１６を、篩枠４の内周面から内方に向けて短く延びるように設ける構造が知られている(例えば、特許文献１、２、５)。
【先行技術文献】
【特許文献】
【０００８】
【特許文献１】特開２０００―１３５４７４号公報
【特許文献２】特開２００５―３０５３８６号公報
【特許文献３】特開２０１２―２１７８９９号公報
【特許文献４】特開２０１３―２５２４９３号公報
【特許文献５】特開平０３―２１３１８１号公報
【特許文献６】特開平１０―３０９５２７号公報
【特許文献７】特開平１１―３１９７１６号公報
【発明の概要】
【発明が解決しようとする課題】
【０００９】
ところが、図４に示したような従来の円筒型篩装置において、篩枠４の内周面から内方に向けて短く延びる整流板１６を設けるだけでは、パンチングメタル６上で原料粉粒体を均一に分布させる効果が不十分であるのに加え、原料粉粒体の投入部から粗大粒排出口８までの流動距離が短いため、粗大粒排出口８からは選別された粗大粒とともに選別が十分に行われなかった正常粒が排出されてしまう。粗大粒排出口８からの正常粒の排出量が多くなると、篩装置全体による選別における正常粒の採取収率が低くなり、正常粒が採取製品である場合の歩留まりが悪化することとなる。【００１０】
そこで本発明の課題は、上記のような従来の篩装置における問題点に着目し、粗大粒とともに排出される正常粒の量を大幅に低減することができ、正常粒を製品とする場合の歩留まりを大幅に向上可能な円筒型篩装置と、それを用いた粉粒体の選別方法を提供することにある。
【課題を解決するための手段】
【００１１】
上記課題を解決するために、本発明に係る円筒型篩装置は、上部に、平面形状が円形の篩枠内に該篩枠内の中央部に投入された原料粉粒体を粗大粒とそれ以外の粉粒体とに選別可能な振動多孔板が設けられているとともに、前記篩枠に前記多孔板上で選別された粗大粒を排出する粗大粒排出口が設けられた上部選別室を有する円筒型篩装置において、前記上部選別室内に、一方の端部が前記篩枠の前記粗大粒排出口の篩枠周方向一端側の位置に接続され、円形の篩枠の半径よりも長く直線状に延びる整流板を設け、該整流板を、円形の篩枠の中心を通る方向に対し前記粗大粒排出口を含む領域側に傾いて延びるように配置するとともに、前記上部選別室内の前記整流板の他方の端部の延長線上に、前記整流板により区画された前記上部選別室内の円形の篩枠の中心を含む領域から前記粗大粒排出口を含む領域へと前記多孔板上の粉粒体が移動可能な粉粒体流路口を設け、該粉粒体流路口の幅を、円形の篩枠の直径の３％以上に設定したことを特徴とするものからなる。
【００１２】
このような本発明に係る円筒型篩装置においては、上部選別室の篩枠内の中央部に原料粉粒体が投入され、投入された原料粉粒体は、所定のサイズの目が開孔された多孔板（例えば、パンチングメタル）の振動により、該多孔板の目を通過しない粗大粒と、多孔板の目を通過する正常粒を含む粉粒体とに選別される。選別された粗大粒は、粗大粒排出口から排出されるが、このとき、選別が不十分であった正常粒も粗大粒排出口から排出されようとする。しかし本発明においては、上部選別室内に、上記のような、一方の端部が篩枠の粗大粒排出口の篩枠周方向一端側の位置に接続され、円形の篩枠の半径よりも長く直線状に延びる整流板が、円形の篩枠の中心を通る方向に対し粗大粒排出口を含む領域側に傾いて延びるように配置されており、かつ、整流板の他方の端部の延長線上に粉粒体流路口が設けられている。したがって、多孔板上の粉粒体は、投入された上部選別室の篩枠内の中央部から粗大粒排出口に向けて短絡的に流動することはなく、整流板により案内され、すなわち、整流板により区画された上部選別室内の円形の篩枠の中心を含む領域から、粉粒体流路口を通して、上記粗大粒排出口を含む領域へと上記多孔板上を案内され、しかる後に粗大粒排出口に向けて流動して、該粗大粒排出口から選別された粗大粒を含む形態にて排出される経路を辿る。このように、特定の整流板によって、正常粒の粗大粒排出口への短絡的な移動が阻止されるとともに、粉粒体の多孔板上での進行経路(流動経路)が長くなるため、多孔板上での粉粒体の層厚みが均一化され、粉粒体の多孔板への接触時間が長くなり、粗大粒と正常粒等との選別効率が高められ、粗大粒排出口まで選別されずに流動されてしまう正常粒の量が大幅に低減される。その結果、粗大粒とともに粗大粒排出口から排出される正常粒の量が大幅に低減され、本装置における正常粒の採取収率が大幅に高められる。また、本発明では、整流板の先端側に設けられる上記粉粒体流路口の幅が、円形の篩枠の直径の３％以上に設定されているので、多孔板上を流動しようとしている粉粒体が該粉粒体流路口を通過し切れずにその部位で詰まりを発生してオーバーフローを引き起こす不都合な現象も回避され、上述の如き正常粒の採取収率の大幅な向上が確実に達成されることとなっている。
【００１３】
上記本発明に係る円筒型篩装置においては、上記粗大粒排出口が、篩枠の周方向の複数箇所に設けられている形態を採ることも可能であるが、篩枠の周方向に１箇所だけ設けられている形態を採用することが好ましい。１箇所だけに設けられていることにより、上記のような整流板による作用、効果がより確実に得られる。【００１４】
また、上記整流板の長さについては、円形の篩枠の半径よりも長いことが必要であるが、さらに、上記篩枠への接続位置から上記粉粒体流路口の一端までの長さとして、円形の篩枠の直径の７０％以上に設定されていることが好ましい。整流板の長さをこのように設定することにより、前述のような整流板による作用、効果がより確実に得られる。但し、整流板の先端側に設けられる上記粉粒体流路口の幅が、円形の篩枠の直径の３％以上に設定されることが前提となる。【００１５】
また、上記整流板は、円形の篩枠の中心を通る方向に対し粗大粒排出口を含む領域側に傾いて延びるように配置されるが、このとき、整流板は、篩枠への接続位置と円形の篩枠の中心とを通る篩枠の直径方向に対し、５〜２８度の角度範囲内に配置されていることが好ましい。このような角度範囲内に整流板を配置することにより、多孔板上を案内される粉粒体の振動多孔板による良好な選別機能を発揮可能な領域を確保できるとともに、多孔板上を案内される粉粒体の多孔板との接触時間を長く確保でき、振動多孔板による選別機能自体の向上をはかることができる。【００１６】
また、本発明に係る円筒型篩装置においては、上部選別室の篩枠内の中央部に、上記多孔板とは異なる孔の無い平板部が設けられていることが好ましい。このような平板部が設けられていることにより、篩枠内の中央部に投入された原料粉粒体のうち、粗大粒に相当する長さを有する粒体が、その長手方向を多孔板の目の方向に向けた姿勢で投入されることにより多孔板によって選別されることなく目を通過してしまう現象を抑えることができ、上部選別室内における選別効率の低下を抑制できる。【００１７】
また、整流板の長さの最適値が求められている場合には、整流板の長さをその最適値に設定すればよいが、選別対象原料粉粒体の種類やロットが変更された場合、長さの最適値が変化する可能性がある。このような場合に対応するためには、整流板の前記粉粒体流路口の一端側部分に、整流板の長さを調整可能な整流板長さ調整機構が設けられていることが好ましい。このような長さ調整機構が設けられていると、整流板の長さを必要に応じて最適な長さに容易に調整することができる。前述の整流板の、篩枠への接続位置と円形の篩枠の中心とを通る篩枠の直径方向に対する角度に関しても、例えば整流板の篩枠への接続位置に整流板の角度を調整可能な整流板角度調整機構を設けておくと、整流板の角度についても必要に応じて最適な角度に容易に調整することができるようになる。【００１８】
また、上記整流板長さ調整機構が、整流板の先端側に設けられる粉粒体流路口の幅の調整機構を兼ねていると、整流板の長さと粉粒体流路口の幅を同時に最適値に調整することが可能になる。【００１９】
また、本発明に係る円筒型篩装置においては、前述の図１に示したように、上記上部選別室の下部に、該上部選別室内で選別された粗大粒が除去された後の粉粒体を取り出し可能な粉粒体取得室、または、上記上部選別室内で選別された粗大粒が除去された後の粉粒体をさらに振動多孔板により目標範囲内のサイズの正常粒とそれ未満のサイズの紛体とに選別可能な中部選別室を有する構成を採用することができる。さらに、中部選別室の下部に粉体を取り出し可能な下部室を設けることもできる。必要に応じて設置室を決めればよい。【００２０】
なお、本発明に係る円筒型篩装置で選別対象とする投入原料粉粒体の種類は、特に限定されないが、本発明に係る円筒型篩装置は、例えば、所定長に切断された樹脂ペレット(樹脂以外の成分を含有する複合材料のペレットを含む)の選別に用いて最適なものである。【００２１】
本発明は、上記のような円筒型篩装置を用いて粉粒体を選別する粉粒体の選別方法についても提供する。この本発明に係る粉粒体の選別方法も、例えば、所定長に切断された樹脂ペレット(樹脂以外の成分を含有する複合材料のペレットを含む)の選別に用いて最適なものである。
【発明の効果】
【００２２】
本発明に係る円筒型篩装置およびそれを用いた粉粒体の選別方法によれば、上部選別室内に特定の整流板を特定の配置形態にて設け、振動多孔板上で投入原料粉粒体を多孔板との長い接触時間をもって案内するとともに、整流板で区画された両側の領域間に粉粒体を流動させる粉粒体流路口の幅を特定幅以上に設定したので、選別された粗大粒とともに粗大粒排出口から排出される正常粒の量を大幅に低減することができ、本装置における正常粒の採取収率を大幅に高めることができる。
【図面の簡単な説明】
【００２３】
【図１】本発明の一実施態様に係る円筒型篩装置の従来技術と共通する全体構成を示す概略縦断面図である。
【図２】図１の円筒型篩装置における本発明の特徴部分を示す上部選別室の斜視図である。
【図３】本発明における粉粒体の流動状態の一例を示す図２の上部選別室の概略平面図である。
【図４】従来技術の一例を示す上部選別室の斜視図である。
【発明を実施するための形態】
【００２４】
以下に、本発明の実施の形態について、図面を参照しながら説明する。
図１は、前述したように、従来技術と共通する全体構成を示す、本発明の一実施態様に係る円筒型篩装置１を示している。本実施態様においては、図２にも示すように、平面形状が円形の篩枠２１内に上部選別室２２が形成され、上部選別室２２の中央部には、多孔板２３とは異なる所定サイズの孔２４の無い平板部２５が設けられている。平板部２５により、篩枠２１内の中央部に投入された原料粉粒体のうち、粗大粒に相当する長さを有する粒体が、その長手方向を多孔板２３の目(孔)２４の方向に向けた姿勢で投入されることによりそのまま目(孔)２４を通過してしまう現象が抑制される。
【００２５】
上部選別室２２では、図１に示したような粉粒体投入口２から投入された原料粉粒体３が、篩枠２１(図２)内で、加振手段５(図１)により加振される所定サイズの孔２４を有する振動多孔板２３(図２)によって、粗大粒をそれ以外の粉粒体（目標とする正常サイズの正常粒と紛体とを含む粉粒体）とに選別される。選別された粗大粒は粗大粒排出口２６(図２)から排出され、粗大粒が除去された後の粉粒体９(図１)は、前述の如く、下方の中部選別室１０(図１)に落下され、中部選別室１０内で正常粒と紛体とに選別される。中部選別室１０内で選別された正常粒は正常粒排出口１２(図１)から排出され、紛体１３(図１)は下部室１４(図１)に落下され、紛体排出口１５(図１)から排出される。
【００２６】
本実施態様では、図２に示すように、上部選別室２２内に、一方の端部が篩枠２１の、粗大粒排出口２６の篩枠２１周方向一端側の位置に、角度調整可能な接続部２７を介して接続され、円形の篩枠２１の半径よりも長く延びる整流板２８が設けられている。整流板２８の材質は特に限定しないが粉粒体との摩擦に耐えうる素材を用いることが望ましい。整流板２８は、円形の篩枠２１の中心Ｃを通る直径２９(図３に図示)の方向に対し、粗大粒排出口２６を含む領域Ａ(図３に図示)側に傾いて延びるように配置されている。上部選別室２２内の上記整流板２８の他方の端部の延長線上には、整流板２８により区画された上記上部選別室内の円形の篩枠の中心Ｃを含む領域Ｂ(図３に図示)から上記粗大粒排出口２６を含む領域Ａへと多孔板２３上の粉粒体が移動可能な粉粒体流路口３０が設けられている。この粉粒体流路口３０の幅Ｗ(図３に図示)は、円形の篩枠２１の直径の３％以上に設定されている。本実施態様では、整流板２８の粉粒体流路口３０の先端側に、その先端部の位置を調整可能なスライド機構が設けられており、このスライド機構が、整流板２８の長さを調整可能な整流板長さ調整機構３１を構成している。また、本実施態様では、整流板長さ調整機構３１の一部が、粉粒体流路口３０の形成部まで延長されており、該延長部３２に沿って整流板長さ調整機構３１を調整することにより、粉粒体流路口３０の幅も調整できるようになっている。粉粒体流路口３０の反整流板２８側部位、つまり、上記延長部３２の反整流板２８側部位は、接続部３３を介して篩枠２１に接続されており、その接続を介して、最終的に、整流板２８の配置、粉粒体流路口３０の位置が決められている。
【００２７】
上記のように配置される整流板２８の長さは、上述の如く、円形の篩枠２１の半径よりも長ければよいが、望ましくは、円形の篩枠２１の直径の７０％以上に設定される。また、図３に示すように、整流板２８の傾き配置に関しては、篩枠２１への接続位置２７と円形の篩枠２１の中心Ｃとを通る篩枠２１の直径２９方向に対する角度θとして、５〜２８度の角度範囲内に配置されていることが好ましい。さらに、篩枠２１内の中央部に設けられた平板部２５の外周と整流板２８との間の距離Ｌとしては、例えば、篩枠２１の直径に対し−９％〜１５％程度の範囲内にあることが好ましい（マイナス表示は整流板２８が平板部２５上に配置されている状態を示す）。
【実施例】
【００２８】
以下、本発明を実施例によってさらに具体的に説明する。
ＰＰＳ（ポリフェニレンサルファイド）樹脂に強化剤、添加剤、着色剤をコンパウンドし、カッティングして得られた粉粒体の選別を、図１に示すような構成を有する円筒型振動篩装置（晃栄産業株式会社佐藤式ふるい機、上段パンチングメタルφ５ｍｍ×Ｐ（ピッチ）８ｍｍ（中央部平板部φ１６０ｍｍ）、下段メッシュφ０．７１ｍｍ×Ｐ１．４１ｍｍ×１２メッシュ）を用い、且つ、上部選別室に、実施例１〜６、比較例２〜６においては図２、図３に示したような整流板（材質：ＳＵＳ３０４）、粉粒体流路口を設け、比較例１においては図４に示したような従来技術の整流板を設けて、以下のように試験した。【００２９】
以下に、実施例および比較例を挙げて本発明について具体的に説明するが、本発明はこれらの実施例のみに限定されるものではない。また、以下の実施例および比較例において［％］は、特に断りのない限り質量基準である。【００３０】
なお、以下の実施例、比較例では、篩枠直径６１５ｍｍの円筒型篩装置を用いて、約８４００ｇ／ｍｉｎで粉粒体としての原料ペレットを供給し、選別処理を行った。また、排出口から排出された粉粒体の評価基準は、粗大粒＝長径、短径、長さのいずれかが１つでも５．１ｍｍ以上であった場合、正常粒＝長径、短径、長さの３つ全てが５．０ｍｍ以下であったペレットをピンセットで分けて評価し、残ったものを粉体とした。【００３１】
まず、円筒型振動篩装置の運転開始から３０秒後篩パンチングメタル上へＰＰＳ樹脂の供給を開始した。粉粒体投入口からＰＰＳ樹脂を篩パンチングメタル上に一定量を連続的に供給し、粗大粒、正常粒、粉体の選別を一定時間行った。上段篩目（大）を通過しなかった選別対象物は、粗大粒排出口より採取した。上段篩目（大）を通過し且つ、下段篩目（小）を通過しなかった選別対象物は正常粒排出口より採取した。上段篩目（大）を通過し且つ、下段篩目（小）も通過した選別対象物は紛体排出口より各々採取した。【００３２】
［実施例１］
整流板の取付け条件として、角度は整流板取り付け位置から篩の中心を通る線との成す角度を２２°、長さは円筒型篩装置の篩枠の直径に対し９０．２％（５５５ｍｍ）、樹脂ペレットの流路幅(粉粒体流路口の幅)は円筒型篩装置の篩枠の直径に対し３．３％（２０ｍｍ）、篩枠中央部のパンチ孔無し平板部の外周と整流板との距離は篩枠の直径に対し６．５％（４０ｍｍ）が好適であることを見出した。ＰＰＳ樹脂は粉粒体投入口より投入されパンチングメタル上で振動により運動を始めパンチングメタル及び整流板に接触しながら移動する。このとき整流板を設けていることにより、下記比較例１に比べ、粉流体のパンチングメタルへの接触時間が飛躍的に延び、パンチングメタル中心部付近での処理量が増加し正常粒が粗大粒排出口まで移動し排出されることが顕著に減少した。さらに、ＰＰＳ樹脂の進行経路が延びたことによりパンチングメタルでの層厚みが平均化し、正常粒排出口での粗大粒排出量の絶対量も減少した。下段のメッシュ部での選別では、上部パンチングメタル中心部付近での処理量向上に伴い正常粒排出口への紛体の排出量の絶対量が減少した。長時間運転でも篩の処理能力の低下は起きない。結果を表１に示す。【００３３】
［比較例１］
本発明による整流板を設けず、図４に示した従来技術による整流板２枚を備える円筒型振動篩装置を使用して選別を行った。つまり、本発明による整流板を設けていないため、本発明を適用していない構成の円筒型振動篩装置である。結果、上部選別室においてＰＰＳ樹脂がパンチングメタルと接触する時間が短く、粗大粒排出口へ正常粒が直行する傾向が見られた。粗大粒排出口での正常品排出量は実施例１と比較したとき８９．５％増加し、選別精度が不充分であることが判明した。【００３４】
また、正常粒排出口での粗大粒の混入量は、実施例１と比較したとき２１．４％増加し、選別精度が不充分であることが判明した。【００３５】
また、正常粒排出口での紛体の混入量は、実施例１と比較したとき２９．４％増加し、選別精度が不充分であることが判明した。結果を表１に示す。【００３６】
［実施例２、比較例２］
実施例１に対して、整流板の設置角度を２２°から４．５°、長さを円筒型篩装置の篩枠の直径に対し９０．２％（５５５ｍｍ）から９７．８％（６０１ｍｍ）、篩枠中央部のパンチ孔無し平板部の外周と整流板との距離は篩枠の直径に対し６．５％（４０ｍｍ）から−８．１％（−５０ｍｍ）とし、粉粒体流路口の幅を篩枠の直径に対し１．６％（１０ｍｍ）、３．３％（２０ｍｍ）、７．３％（４５ｍｍ）の３水準にて実施例１と同様な方法で選別を行った。結果、粉粒体流路口の幅が篩枠の直径に対し１．６％では、粉粒体流路口の幅が狭すぎたため処理しきれず詰まりが発生し、オーバーフローを引き起こした。したがって、この水準は比較例２とした。粉粒体流路口の幅を篩枠の直径に対し３．３％（２０ｍｍ）、７．３％（４５ｍｍ）の水準では、実施例１ほどではないにしても、比較例１に比べ、粗大粒排出口からの正常粒の排出量は大幅に減少することができた。結果を表１に示す。【００３７】
【表１】
0006582990.tif 000002
【００３８】
［実施例３、比較例３］
実施例１に対して、整流板の設置角度を２２°から１１°、長さを円筒型振動篩装置の篩枠の直径に対し９０．２％（５５５ｍｍ）から９６．７％（５９５ｍｍ）、篩枠中央部のパンチ孔無し平板部の外周と整流板との距離は篩枠の直径に対し６．５％（４０ｍｍ）から０％（０ｍｍ）とし、粉粒体流路口の幅を篩枠の直径に対し１．６％（１０ｍｍ）、３．３％（２０ｍｍ）、７．３％（４５ｍｍ）、１１．４％（７０ｍｍ）の４水準にて実施例１と同様な方法で選別を行った。結果、粉粒体流路口の幅が篩枠の直径に対し１．６％の水準では、粉粒体流路口の幅が狭すぎたため処理しきれず詰まりが発生し、オーバーフローを引き起こした。したがって、この水準は比較例３とした。上記水準以外の条件では比較例１に対して粗大粒排出口からの正常粒の排出量は大幅に減少することができた。結果を表２に示す。【００３９】
【表２】
0006582990.tif 000003
【００４０】
［実施例４、比較例４］
実施例１に対して、整流板の設置角度を２２°から１７．５°、長さを円筒型振動篩装置の篩枠の直径に対し９０．２％（５５５ｍｍ）から９４．３％（５８０ｍｍ）、篩枠中央部のパンチ孔無し平板部の外周と整流板との距離は篩の直径に対し６．５％（４０ｍｍ）から４．９％（３０ｍｍ）とし、粉粒体流路口の幅を篩枠の直径に対し１．６％（１０ｍｍ）、３．３％（２０ｍｍ）、７．３％（４５ｍｍ）、１１．４％（７０ｍｍ）の４水準にて実施例１と同様な方法で選別を行った。結果、粉粒体流路口の幅が篩枠の直径に対し１．６％の水準では、粉粒体流路口の幅が狭すぎたため処理しきれず詰まりが発生し、オーバーフローを引き起こした。したがって、この水準は比較例４とした。上記水準以外の条件では比較例１に対して粗大粒排出口からの正常粒の排出量は大幅に減少することができた。結果を表３に示す。【００４１】
【表３】
0006582990.tif 000004
【００４２】
［実施例５、比較例５］
実施例１に対して、粉粒体流路口の幅を篩枠の直径に対し１．６％（１０ｍｍ）、７．３％（４５ｍｍ）、１１．４％（７０ｍｍ）の３水準に変更した以外は実施例１と同じ条件のもと実施例１と同様な方法で選別を行った。結果、粉粒体流路口の幅が篩枠の直径に対し１．６％の水準では、粉粒体流路口の幅が狭すぎたため処理しきれず詰まりが発生し、オーバーフローを引き起こした。したがって、この水準は比較例５とした。上記水準以外の条件では比較例１に対して粗大粒排出口からの正常粒の排出量は大幅に減少することができた。結果を表４に示す。【００４３】
【表４】
0006582990.tif 000005
【００４４】
［実施例６、比較例６］
実施例１に対して、整流板の設置角度を２２°から２８．５°、長さを円筒型振動篩装置の篩枠の直径に対し９０．２％（５５５ｍｍ）から８５．４％（５２５ｍｍ）、篩枠中央部のパンチ孔無し平板部の外周と整流板との距離は篩枠の直径に対し６．５％（４０ｍｍ）から１１．４％（７０ｍｍ）とし、流路口の幅を篩の直径に対し１．６％（１０ｍｍ）、３．３％（２０ｍｍ）、７．３％（４５ｍｍ）の３水準にて実施例１と同様な方法で選別を行った。結果、粉粒体流路口の幅が篩枠の直径に対し１．６％の水準では、粉粒体流路口の幅が狭すぎたため処理しきれず詰まりが発生し、オーバーフローを引き起こした。したがって、この水準は比較例６とした。上記水準以外の条件では比較例１に対して粗大粒排出口からの正常粒の排出量は大幅に減少することができた。結果を表５に示す。【００４５】
【表５】
0006582990.tif 000006
【００４６】
なお、上述した実施例では、本発明に係る円筒型篩装置を熱可塑性樹脂のコンパウンド製造における選別工程に用いる例について説明したが、本発明に係る円筒型篩装置によって選別を行う処理対象物としては熱可塑性樹脂のコンパウンド品に限るものではなく、その他あらゆる分野の対象物の選別に適用することが可能である。
【産業上の利用可能性】
【００４７】
本発明に係る円筒型篩装置およびそれを用いた粉粒体の選別方法は、粗大粒排出口への正常粒の排出量の低減が求められるあらゆる粉粒体の選別に適用でき、装置全体としての正常粒の採取収率の大幅な向上をはかることができる。
【符号の説明】
【００４８】
１  円筒型篩装置
２  粉粒体投入口
３  原料粉粒体
４  篩枠
５  加振手段
６  多孔板 (パンチングメタル)
７  上部選別室
８  粗大粒排出口
９  粗大粒が除去された後の粉粒体
１０  中部選別室
１１  多孔板 (パンチングメタル)
１２  正常粒排出口
１３  紛体
１４  下部室
１５  紛体排出口
１６  従来技術の整流板
２１  篩枠
２２  上部選別室
２３  多孔板
２４  孔
２５  平板部
２６  粗大粒排出口
２７  接続部
２８  整流板
２９  円形の篩枠の中心を通る直径
３０  粉粒体流路口
３１  整流板長さ調整機構
３２  延長部
３３  接続部
Ａ  粗大粒排出口を含む領域
Ｂ  円形の篩枠の中心を含む領域
Ｃ  円形の篩枠の中心
Ｌ  平板部の外周と整流板との距離
Ｗ  粉粒体流路口の幅
【図１】
0006582990.tif 000007
【図２】
0006582990.tif 000008
【図３】
0006582990.tif 000009
【図４】
0006582990.tif 000010